(57)【要約】【課題】スクリーンに投射される映像の明るさが、使用時間の経過とともに暗くなるのを防ぐことを目的とする。【解決手段】本発明に係るプロジェクションテレビは、映像投射用のランプ４と、ランプ４の輝度を検出する光センサ１７と、ランプ４の輝度に関する序列づけられた複数の経時変化パターンが記憶されたメモリ部１ｃとを備える。そして、光センサ１７で検出されたランプ４の輝度の変化が、一の経時変化パターンに合致しているかを序列の順次に判定し、合致したと判定した場合に、序列を一つ進めるとともに、合致した一の経時変化パターンに対応して予め定められた補正を加えてランプ４を駆動する。【選択図】図１
2008304588.tif 000002
【特許請求の範囲】
【請求項１】
映像投射用の光源部と、
前記光源部の輝度を検出する光センサと、
前記光源部の輝度に関する序列づけられた複数の経時変化パターンが記憶されたメモリ部とを備え、
前記光センサで検出された前記光源部の輝度の変化が、一の前記経時変化パターンに合致しているかを前記序列の順次に判定し、合致したと判定した場合に、前記序列を一つ進めるとともに、合致した前記一の経時変化パターンに対応して予め定められた補正を加えて前記光源部を駆動する、
プロジェクションテレビ。
【請求項２】
前記光センサで検出された前記光源部の輝度の変化が、前記序列における終期の前記経時変化パターンに合致したと判定された場合に、前記光源部の余寿命を表示する、
請求項１に記載のプロジェクションテレビ。
【請求項３】
映像投射用の光源部と、
前記光源部の輝度を検出する光センサと、
前記光源部の輝度に関する少なくも終期の経時変化パターンが記憶されたメモリ部とを備え、
前記光センサで検出された前記光源部の輝度の変化が、前記終期の経時変化パターンに合致したと判定した場合に、前記光源部の余寿命を表示する、
プロジェクションテレビ。
【発明の詳細な説明】
【技術分野】
【０００１】
本発明は、放電式の光源部を備えるプロジェクションテレビに関するものである。
【背景技術】
【０００２】
従来の光源式プロジェクションテレビでは、画像信号に応じて一部の光を反射する半導体ミラー素子を用いて、スクリーンへ画像を投射する方式が知られている。このような方式では、光源部としてランプ、例えば、高圧水銀ランプやメタルハライドランプやハロゲンランプが用いられる。
【０００３】
特許文献１には、光源部の点灯を検出する光センサと、制御部と、メモリ部とを備えるプロジェクションテレビが記載されている。この構成からなるプロジェクションテレビでは、光源部の点灯を検出した後、しばらくしてからデータ処理を行う。このようにして、点灯直後に光源部から発生するノイズから、データを保護している。
【０００４】
また、プロジェクションテレビの光源部として用いられるランプの寿命は長くなく、定期的に交換する必要がある。そのため、従来のプロジェクションテレビでは、時間タイマを用いて、予め定められた寿命期間をランプ交換直後からカウントダウンし、その値をランプの余寿命として表示する方法が提案されている。
【０００５】
【特許文献１】特開２００６−３６０７号公報
【発明の開示】
【発明が解決しようとする課題】
【０００６】
しかしながら、光源部として用いられるランプの輝度は、使用時間の経過とともに劣化することが知られている。そのため、従来のプロジェクションテレビでは、スクリーンに投射される映像の明るさが、使用時間の経過とともに暗くなるという問題点があった。
【０００７】
また、ランプの寿命期間は一定ではなく、ランプそれぞれに異なる。そのため、上述の方法でカウントされる余寿命は、正確ではなく、単なる目安にしかならないという問題点があった。
【０００８】
本発明は、上記のような問題点を解決するためになされたものであり、スクリーンに投射される映像の明るさが、使用時間の経過とともに暗くなるのを防ぐこと、および、ランプの正確な余寿命を表示することを目的とする。
【課題を解決するための手段】
【０００９】
請求項１に係るプロジェクションテレビは、映像投射用の光源部と、前記光源部の輝度を検出する光センサと、前記光源部の輝度に関する序列づけられた複数の経時変化パターンが記憶されたメモリ部とを備える。そして、前記光センサで検出された前記光源部の輝度の変化が、一の前記経時変化パターンに合致しているかを前記序列の順次に判定し、合致したと判定した場合に、前記序列を一つ進めるとともに、合致した前記一の経時変化パターンに対応して予め定められた補正を加えて前記光源部を駆動する。
【００１０】
請求項３に係るプロジェクションテレビは、映像投射用の光源部と、前記光源部の輝度を検出する光センサと、前記光源部の輝度に関する少なくとも終期の経時変化パターンが記憶されたメモリ部とを備える。そして、前記光センサで検出された前記光源部の輝度の変化が、前記終期の経時変化パターンに合致したと判定した場合に、前記光源部の余寿命を表示する。
【発明の効果】
【００１１】
請求項１に係るプロジェクションテレビによれば、スクリーンに投射される映像の明るさが、使用時間の経過とともに暗くなるのを防ぐことができる。請求項３に係るプロジェクションテレビによれば、ランプの正確な余寿命を表示することができる。
【発明を実施するための最良の形態】
【００１２】
＜実施の形態１＞
本実施の形態に係るプロジェクションテレビについて説明する前に、従来のプロジェクションテレビについて説明する。図９は、従来のプロジェクションテレビの構成を示す模式図である。図９に示される従来のプロジェクションテレビは、スクリーン８に映像を投射するＤＬＰ（Digital Light Processing）方式のプロジェクションテレビであり、バラスト部１と、制御部２と、メモリ部３と、映像投射用の光源部であるランプ４と、カラーホイール５と、ライトパイプ６と、投射レンズ７と、ＤＭＤ（Digital Mirror Device）素子１８とを備える。
【００１３】
ランプ４は、バラスト部１から供給される電圧９に応じて光を放射する。バラスト部１は、ランプ４に供給する電圧９を制御する。このバラスト部１は、ランプ駆動回路１ａと、バラスト制御部１ｂとを備える。図９に示すように、バラスト制御部１ｂは、ランプ駆動回路１ａにランプ駆動制御信号１２を送信することにより、ランプ駆動回路１ａを制御する。ランプ駆動回路１ａは、ランプ駆動制御信号１２に応じて、ランプ４に上述の電圧９を供給する。バラスト制御部１ｂは、制御部２との間でバラスト制御信号１１を送受信することによって、制御部２により制御される。
【００１４】
図１０は、ランプ駆動回路１ａによってランプ４に供給される電圧９の一例を示す図である。図１０に示すように、ランプ駆動回路１ａは、バラスト制御部１ｂの制御により、ランプ４の点灯開始時に必要なignition電圧を電圧９としてランプ４に供給した後、ランプ４の輝度を一定に継続維持するための駆動電圧を電圧９としてランプ４に供給する。ランプ４への駆動電圧の供給において、ランプ４の電極に過度の電圧を継続して供給すると、ランプ４の寿命は極端に短かくなってしまう。そのため、駆動電圧は、適切な範囲内、例えば、図１０の２本の一点鎖線で示されるランプ駆動電圧範囲内に維持される。この図１０に示されるように、従来の駆動電圧は、一定に継続維持される。ランプ駆動回路１ａは、ランプ４に電圧を供給すると、バラスト制御部１ｂにランプ駆動検出信号１０を送信する。
【００１５】
カラーホイール５は、少なくともＲ（赤）、Ｇ（緑）、Ｂ（青）の３色を含む複数のカラーフィルタを配列させたものである。カラーホイール５は、ランプ４からの光が、複数のカラーフィルタのうち、一のカラーフィルタを透過するように配置される。カラーホイール５は、制御部２から送信されるカラーホイール制御信号１４に応じてカラーフィルタを回転させることにより、ランプ４からの光を透過するカラーフィルタを変更する。また、カラーホイール５は、回転動作に応じて、制御部２にカラーホイール動作検出信号１５を送信する。
【００１６】
制御部２は、メモリ部３との間で、メモリ部制御信号１６を送受信することにより、メモリ部３を制御する。メモリ部３には、制御部２がＤＭＤ素子１８を制御するのに必要な情報が保存される。
【００１７】
ＤＭＤ素子１８は、半導体ミラー素子であり、制御部２からのＤＭＤ素子制御信号１９に応じて制御される。このＤＭＤ素子１８は、カラーホイール５を透過した光を受け、その光の一部を反射する。そして、反射された光は、ライトパイプ６により光誘導され、投射レンズ７により拡大されて、画像としてスクリーン８に投射される。以上の動作を微小な時間で行うことにより、従来のプロジェクションテレビは、カラー動画をスクリーン８に表示することができる。
【００１８】
以上のように、従来のプロジェクションテレビにおいて、ランプ４は、スクリーン８に投射される映像の光源として用いられる。図２は、一例として、ランプ４の輝度の最も単純な経時変化を示した図である。この図に示すように、従来のプロジェクションテレビでは、ランプ４の輝度は、使用時間の経過とともに劣化する。そのため、スクリーン８に投射される映像の明るさは、使用時間とともに暗くなるという問題点があった。また、従来のプロジェクションテレビでは、時間タイマを用いて、予め定められた寿命期間をランプ４交換直後からカウントダウンし、その値を余寿命として表示していた。しかし、この方法でカウントされる余寿命は、正確ではなく、単なる目安にしかならないという問題点があった。
【００１９】
次に、このような問題点を解決する本実施の形態にかかるプロジェクションテレビについて説明する。図１は、本実施の形態に係るプロジェクションテレビの模式図である。図１に示すように、本実施の形態に係るプロジェクションテレビは、バラスト部１と、制御部２と、メモリ部３と、映像投射用の光源部であるランプ４と、カラーホイール５と、ライトパイプ６と、投射レンズ７と、光センサ１７と、ＤＭＤ素子１８と、表示部２０とを備える。
【００２０】
バラスト部１は、ランプ駆動回路１ａと、バラスト制御部１ｂと、メモリ部１ｃとを備える。本実施の形態にかかるプロジェクションテレビのうち、以下、新たに説明しない構成については、従来の構成と同じであるものとし、同一符号を付すものとする。
【００２１】
光センサ１７は、ランプ４の輝度を検出する。光センサ１７で検出された輝度は、輝度信号１３として、制御部２に送信される。この光センサ１７は、ランプ４の有効輝度を減少させない位置に配置することが望ましく、例えば、ランプ４から漏れた光を検出する位置に配置することが望ましい。
【００２２】
メモリ部１ｃには、ランプ４の輝度に関する序列づけられた複数の経時変化パターンが記憶されている。本実施の形態では、図３に示すように、４つの経時変化パターン１〜４がメモリ部１ｃに予め記憶されている。そして、例えば、使用者の設定により、これら４つの経時変化パターンが序列づけられてメモリ部１ｃに記憶される。
【００２３】
本実施の形態では、一例として、経時変化パターン１→経時変化パターン２→経時変化パターン３→経時変化パターン４の順序で序列づけられて記憶されている場合について説明する。図３に示すように、経時変化パターン１〜４それぞれには、輝度補正率Ｘ１〜Ｘ４がそれぞれ対応して設定されている。この輝度補正率Ｘ１〜Ｘ４は、例えば、使用者がランプ４を交換する際に、ランプ４の種類に応じて使用者により変更される。
【００２４】
なお、本実施の形態では、各経時変化パターン１〜４をそれぞれ１回ずつ用いて、合計４個の経時変化パターンを序列づけてメモリ部１ｃに記憶するものとして説明するが、これに限ったものではない。例えば、図４に示すように、経時変化パターン１〜４を複数回重複して用いることにより、合計ｎ個の経時変化パターンを序列づけてメモリ部１ｃに記憶するものであってもよい。
【００２５】
本実施の形態に係るプロジェクションテレビでは、光センサ１７で検出されたランプ４の輝度の変化が、一の経時変化パターンに合致しているかを序列の順次に判定する。本実施の形態では、まず、時間ｔk（ｋ＝１，２，…）ごとに、ランプ４の輝度を検出する。そして、時間ｔkを含む期間におけるランプ４の輝度の変化を算出し、メモリ部１ｃに保存する。本実施の形態では、輝度の変化は、時間平均した輝度Ｐnに、移動平均法を用いた値Ｑkであるものとする。
【００２６】
ここで、時間平均した輝度Ｐnは、Ｐn＝（Ａn−Ａn-1）／（ｔn−ｔn-1）で表される。この式において、Ａn-1は、時間ｔn-1におけるランプ４の輝度、Ａnは、時間ｔnにおけるランプ４の輝度である。このＰnは、図５では直線の傾きに該当する。
【００２７】
Ｑkは、時間ｔkを含む期間、例えば、ｔk-N/2〜ｔk〜ｔk+N/2において、上述のＰnに移動平均法を用いた値であり、Ｑk＝（Ｐk-N/2＋Ｐk-N/2+1＋…＋Ｐk-1＋Ｐk＋Ｐk+1＋…＋Ｐk+N/2）／Ｎと表される。このようにして、光センサ１７で検出されたランプ４の輝度から、ｔk含む期間における輝度の変化Ｑkを算出し、その輝度の変化Ｑkをメモリ部１ｃに保存する。
【００２８】
メモリ部１ｃでは、上述したように、図３に示される４つの経時変化パターン１〜４が予め記憶されている。本実施の形態では、これら４つの経時変化パターンは、上述したＱkから算出されるＱk-1、および、Ｑk-1／Ｑkによって表される。ここで、Ｑk-1は、先の期間（ｔk-1-N/2〜ｔk-1〜ｔk-1+N/2）における輝度の変化であり、Ｑkは、後の期間（ｔk-N/2〜ｔk〜ｔk+N/2）における輝度の変化である。
【００２９】
図３の場合には、経時変化パターン１は「Ｑk-1／Ｑk≧Ｃ」、経時変化パターン２は「０＜Ｑk-1／Ｑk＜Ｃ」、経時変化パターン３は「Ｑk-1＜０、かつ、Ｑk-1／Ｑkは負の数」、経時変化パターン４は「Ｑk-1≧０、かつ、Ｑk-1／Ｑkは負の数」という判定条件で表される。ここで、Ｃは予め定められた値である。
【００３０】
上述したように、メモリ部１ｃには、光センサ１７で検出されたランプ４の輝度の変化Ｑkが保存されている。本実施の形態に係るプロジェクションテレビは、メモリ部１ｃに保存したＱkから、先の期間における輝度の変化Ｑk-1と、後の期間における輝度のＱkを読み出す。そして、Ｑk-1、Ｑk-1／Ｑkを算出し、一の経時変化パターンに合致しているかを、経時変化パターン１→経時変化パターン２→経時変化パターン３→経時変化パターン４の序列で順次に判定する。
【００３１】
この判定は、光センサ１７の検出と同様に、所定の時間ごとに行われる。なお、この判定では、先の期間における輝度の変化Ｑk-1と、後の期間における輝度の変化Ｑkとを用いる。ここで、判定の対象となる時点は、Ｑkが得られる時点とＱk-1が得られる時点との間の時点であり、その一方で、判定可能となる時点は、Ｑkが得られる時点である。そのため、判定対象となる時点と、判定可能となる時点にはタイムラグが生じる。しかし、光センサ１７が輝度を検出する時間ｔkの間隔を短くして、上述した判定を行う所定の時間の間隔を短くすれば、そのタイムラグを小さくすることができる。
【００３２】
以上のようにして、本実施の形態に係るプロジェクションテレビは、光センサ１７で検出されたランプ４の輝度の変化が、一の経時変化パターンに合致しているかを序列の順次に判定する。
【００３３】
本実施の形態に係るプロジェクションテレビは、上述の判定において合致したと判定した場合に、序列を一つ進めるとともに、合致した一の経時変化パターンに対応して予め定められた補正を加えてランプ４を駆動する。本実施の形態では、一の経時変化パターンに対応して予め定められた輝度補正率Ｘ１〜Ｘ４を加えて、駆動電圧を変更させながら、ランプ４を駆動する。
【００３４】
また、本実施の形態に係るプロジェクションテレビは、上述の動作に加え、光センサ１７で検出されたランプ４の輝度の変化が、序列における終期の経時変化パターンである経時変化パターン４に合致したと判定された場合に、ランプ４の余寿命を表示する。これらの動作について、以下、図６を用いて説明する。
【００３５】
まず、従来と同じように、ランプ４を点灯すると、ランプ４には、ignition電圧が電圧９として供給された後、駆動電圧が電圧９として供給される。そして、光センサ１７で検出されたランプ４の輝度の変化が、序列における初期の経時変化パターンである経時変化パターン１に合致しているかを判定する。本実施の形態では、光センサ１７で検出されたランプ４の輝度の変化が、経時変化パターン１に合致したと判定するまでは、駆動電圧は、予め定められた所定の電圧で維持されるものとする。
【００３６】
図６では、時点Ａから上述のタイムラグ経過後に、時点Ａで経時変化パターン１に合致したと判定した場合を示している。このように判定された場合、判定に用いる経時変化パターンの序列を、経時変化パターン１から経時変化パターン２に１つ進める。それとともに、経時変化パターン１に対応して予め定められた輝度補正率Ｘ１を加えて、ランプ４を駆動する。経時変化パターン１は、先の期間における輝度の変化Ｑk-1に対して、後の期間における輝度の変化Ｑkが緩やかに下降する。そのため、本実施の形態では、輝度補正率Ｘ１を加えた場合、図６に示すように、駆動電圧を上げるように変更するものとする。
【００３７】
なお、図６において２本の一点鎖線で示されるランプ駆動電圧範囲内に収まるように、駆動電圧を変更するものとする。以下における駆動電圧の変更も同様である。これにより、ランプ４の電極に過度の電圧を供給して、ランプ４の寿命が極端に短くなるのを防ぐことができる。これを実現するための動作については後述する。
【００３８】
上述したように、判定に用いる経時変化パターンの序列は、経時変化パターン１から経時変化パターン２に１つ進められている。そのため、時点Ａから上述のタイムラグの経過後は、光センサ１７で検出されたランプ４の輝度の変化が、経時変化パターン２に合致しているかを判定する。
【００３９】
図６では、時点Ｂから上述のタイムラグ経過後に、時点Ｂで経時変化パターン２に合致したと判定した場合を示している。このように判定された場合、判定に用いる経時変化パターンの序列を、経時変化パターン２から経時変化パターン３に１つ進める。それとともに、経時変化パターン２に対応して予め定められた輝度補正率Ｘ２を加えて、ランプ４を駆動する。経時変化パターン２は、先の期間における輝度の変化Ｑk-1に対して、後の期間における輝度の変化Ｑkが急激に下降する。そのため、本実施の形態では、輝度補正率Ｘ２を加えた場合、図６に示すように、駆動電圧を上げるように変更するものとする。
【００４０】
上述したように、判定に用いる経時変化パターンの序列は、経時変化パターン２から経時変化パターン３に１つ進められている。そのため、時点Ｂから上述のタイムラグの経過後は、光センサ１７で検出されたランプ４の輝度の変化が、経時変化パターン３に合致しているかを判定する。
【００４１】
図６では、時点Ｃから上述のタイムラグ経過後に、時点Ｃで経時変化パターン３に合致したと判定した場合を示している。このように判定された場合、判定に用いる経時変化パターンの序列を、経時変化パターン３から経時変化パターン４に１つ進める。それとともに、経時変化パターン３に対応して予め定められた輝度補正率Ｘ３を加えて、ランプ４を駆動する。経時変化パターン３は、先の期間における輝度の変化Ｑk-1に対して、後の期間における輝度の変化Ｑkが急激に上昇する。そのため、本実施の形態では、輝度補正率Ｘ３を加えた場合、図６に示すように、駆動電圧を下げるように変更するものとする。
【００４２】
上述したように、判定に用いる経時変化パターンの序列は、経時変化パターン３から経時変化パターン４に１つ進められている。そのため、時点Ｃから上述のタイムラグ経過後は、光センサ１７で検出されたランプ４の輝度の変化が、経時変化パターン４に合致しているかを判定する。
【００４３】
図６では、時点Ｄから上述のタイムラグ経過後に、時点Ｄで経時変化パターン４に合致したと判定した場合を示している。このように判定された場合、経時変化パターン４に対応して予め定められた輝度補正率Ｘ４を加えて、ランプ４を駆動する。経時変化パターン４は、先の期間における輝度の変化Ｑk-1に対して、後の期間における輝度の変化Ｑkが急激に下降する。そのため、本実施の形態では、輝度補正率Ｘ４を加えた場合、図６に示すように、駆動電圧を上げるように変更するものとする。
【００４４】
また、この時点における判定では、光センサ１７で検出されたランプ４の輝度の変化が、序列における終期の経時変化パターンである経時変化パターン４に合致したと判定されるめ、ランプ４の余寿命の表示を開始する。本実施の形態では、制御部２は、内部に設けた時間タイマを用いて、予め定められた寿命期間からカウントダウンし、その値をランプ４の余寿命として表示部２０に表示する制御を行う。
【００４５】
図７、図８は、以上の構成からなる本実施の形態に係るプロジェクションテレビの動作を示すフローチャートである。次に、これらフローチャートに従って、本実施の形態に係るプロジェクションテレビの動作を説明する。
【００４６】
まず、初期モードとして、デフォルトの経時変化パターンを設定する。本実施の形態では、図３の４つの経時変化パターン１〜４の判定条件をメモリ部１ｃに上述の序列で記憶する。そして、デフォルトの電源変調モードを設定する。本実施の形態では、図３に示すように、４つの経時変化パターン１〜４それぞれに対して、輝度補正率Ｘ１〜Ｘ４それぞれを設定する（ステップＳ１）。この輝度補正率Ｘ１〜Ｘ４は、例えば、使用者がランプ４を交換する際に、ランプ４の種類に応じて使用者により変更される。
【００４７】
次に、ランプ４の輝度を光センサ１７を検出する（ステップＳ２）。ステップＳ２の後、光センサ１７で検出されたランプ４の輝度から、時間平均した輝度Ｐnを求める。このＰnに、移動平均法を用いてＱkを求める（ステップＳ３）。その後、Ｑkをメモリ部１ｃに記憶する（ステップＳ４）。
【００４８】
ステップＳ４の後、メモリ部１ｃに記憶したＱkから、Ｑk-1，および、Ｑk-1／Ｑkを求める。そして、Ｑk-1、および、Ｑk-1／Ｑkを、ステップＳ１で設定した経時変化パターンの判定条件に照らし、合致しているかを上述の序列の順次に判定する（ステップＳ５）。ステップＳ５の判定で合致しなかったと判定した場合には、ステップＳ２に戻る。この判定は、所定の時間ごとに繰り返される。こうして、Ｑk-1、および、Ｑk-1／Ｑkが、経時変化パターンに合致するまで、ステップＳ２からステップＳ５を繰り返す。
【００４９】
ステップＳ５の判定で合致したと判定した場合、合致した経時変化パターンが、序列における終期の経時変化パターンであるか否かを判定する（ステップＳ６）。本実施の形態では、上述したように、序列における終期の経時変化パターンは、経時変化パターン４である。
【００５０】
ステップＳ６で、終期の経時変化パターンだったと判定した場合には、ランプ切れ警告表示を行う。本実施の形態では、内部に設けた時間タイマを用いて、予め定められた寿命期間からカウントダウンし、その値をランプ４の余寿命として表示部２０に表示する（ステップＳ７）。
【００５１】
ステップＳ６で、終期の経時変化パターンでなかったと判定した場合には、現段階の経時変化パターンをメモリ部１ｃに記憶する。メモリ部１ｃに記憶した後、ステップＳ５の判定で用いる経時変化パターンを、現段階の経時変化パターンから序列を一つ進めることにより、次の経時変化パターンに移行する（ステップＳ８）。
【００５２】
ステップＳ８の後、現段階の経時変化パターンに対応する輝度補正率をメモリ部１ｃから読み出す。そして、読み出した輝度補正率を加えて、駆動電圧を算出する。そして、算出した駆動電圧が、予め設定された上限値より大きいか否かを判定する（ステップＳ９）。上限値は、本実施の形態では、図６で示したランプ駆動電圧範囲の上限値である。
【００５３】
算出した駆動電圧が、上限値よりも大きいとステップＳ９で判定された場合には、ランプ４の駆動電圧を、ランプ駆動電圧範囲の上限値に設定し、その駆動電圧をランプ４に供給する（ステップＳ１０）。その後、ステップＳ２に戻る。このようにして、駆動電圧が、ランプ駆動電圧範囲の上限値よりも大きくならないようにする。
【００５４】
算出した駆動電圧が、上限値以下であるとステップＳ９で判定された場合には、その駆動電圧が、予め設定された下限値より小さいか否かを判定する（ステップＳ１１）。下限値は、本実施の形態では、図６で示したランプ駆動電圧範囲の下限値である。
【００５５】
算出した駆動電圧が、下限値よりも小さいとステップＳ１１で判定された場合には、ランプ４の駆動電圧を、ランプ駆動電圧範囲の下限値に設定し、その駆動電圧をランプ４に供給する（ステップＳ１２）。その後、ステップＳ２に戻る。このようにして、駆動電圧が、ランプ駆動電圧範囲の下限値よりも小さくならないようにする。
【００５６】
算出した駆動電圧が、下限値以上であるとステップＳ１１で判定された場合には、算出した駆動電圧をランプ４に供給する。その後、ステップＳ２に戻る（ステップＳ１３）。
【００５７】
以上の動作を行う本実施の形態に係るプロジェクションテレビによれば、光センサ１７で検出されたランプ４の輝度が、複数の経時変化パターンに合致しているかを上述の序列で順次に判定する。そして、合致した経時変化パターンに対応して予め定められた輝度補正率を加えて、ランプ４を駆動する。これにより、スクリーン８に投射される映像の明るさが、使用時間の経過とともに暗くなるのを防ぐことができる。
【００５８】
また、本実施の形態に係るプロジェクションテレビによれば、序列における終期の経時変化パターンに合致した場合に、ランプ４の余寿命を表示する。こうして、ランプ４の寿命に近い時点において余寿命を表示することができるため、ランプ４の正確な寿命を表示することができる。
【００５９】
なお、本実施の形態では、メモリ部１ｃに、ランプ４の輝度に関する複数の経時変化パターンを序列づけて記憶するものとした。しかし、これに限ったものではなく、メモリ部１ｃの代わりにメモリ部３に記憶するものであってもよい。
【００６０】
また、本実施の形態では、複数の経時変化パターンは、４つの経時変化パターン１〜４を序列づけてメモリ部１ｃに記憶するものとした。しかし、経時変化パターンは、この４つに限ったものではなく、例えば、経時変化パターン１に対して、Ｑk-1／Ｑk≧Ｃの範囲で条件をさらに細かく設定することにより、さらに経時変化パターンを増やしたものであってもよい。また、この場合に、経時変化パターン２〜４を用いずに、判定条件が異なる複数の経時変化パターン１を用いるものであってもよい。
【００６１】
また、本実施の形態では、経時変化パターン４が、序列における終期の経時変化パターンとなる場合について説明した。しかし、これに限ったものではなく、経時変化パターン１〜３のいずれかが、終期の経時変化パターンとなる場合であってもよい。
【００６２】
また、本実施の形態では、ランプ４の輝度の変化として、時間平均した輝度に移動平均法による値Ｑkを用いた。しかしこれに限ったものではなく、時間平均した輝度Ｐnを輝度の変化として用いてもよい。しかし、この場合には、短期的な変動、例えば、ノイズの影響を受けやすくなるため、移動平均法による値Ｑkを用いることが望ましい。
【００６３】
また、本実施の形態では、スクリーン８に投射される映像の明るさが、使用時間の経過とともに暗くなるのを防ぐことができ、かつ、ランプ４の正確な余寿命を表示することができる構成を示した。しかし、これに限ったものではなく、ランプ４の正確な余寿命を表示することができる構成のみであってよい。
【００６４】
その場合、プロジェクションテレビは、映像投射用の光源部であるランプ４と、ランプ４の輝度を検出する光センサ１７とを備える。そして、ランプ４の輝度に関する少なくとも終期の経時変化パターンが記憶されるメモリ部１ｃを備える。そして、光センサ１７で検出されたランプ４の輝度の変化が、終期の経時変化パターンに合致したと判定した場合に、ランプ４の余寿命を表示する。
【００６５】
このような構成であっても、上述の構成と同様、ランプ４の寿命に近い時点において余寿命を表示することができるため、ランプ４の正確な寿命を表示することができる。
【図面の簡単な説明】
【００６６】
【図１】実施の形態１に係るプロジェクションテレビの模式図である。
【図２】実施の形態１に係るプロジェクションテレビの動作を示す図である。
【図３】実施の形態１に係るプロジェクションテレビの動作を示す図である。
【図４】実施の形態１に係るプロジェクションテレビの動作を示す図である。
【図５】実施の形態１に係るプロジェクションテレビの動作を示す図である。
【図６】実施の形態１に係るプロジェクションテレビの動作を示す図である。
【図７】実施の形態１に係るプロジェクションテレビの動作を示すフローチャートである。
【図８】実施の形態１に係るプロジェクションテレビの動作を示すフローチャートである。
【図９】従来のプロジェクションテレビの模式図である。
【図１０】従来のプロジェクションテレビの動作を示す図である。
【符号の説明】
【００６７】
１  バラスト部、１ａ  ランプ駆動回路、１ｂ  バラスト制御部、１ｃ，３  メモリ部、２  制御部、４  ランプ、５  カラーホイール、６  ライトパイプ、７  投射レンズ、８  スクリーン、９  電圧、１０  ランプ駆動検出信号、１１  バラスト制御信号、１２  ランプ駆動制御信号、１３  輝度信号、１４  カラーホイール制御信号、１５  カラーホイール動作検出信号、１６  メモリ部制御信号、１７  光センサ、１８  ＤＭＤ素子、１９  ＤＭＤ素子制御信号、２０  表示部。
【図１】
2008304588.tif 000003
【図２】
2008304588.tif 000004
【図３】
2008304588.tif 000005
【図４】
2008304588.tif 000006
【図５】
2008304588.tif 000007
【図６】
2008304588.tif 000008
【図７】
2008304588.tif 000009
【図８】
2008304588.tif 000010
【図９】
2008304588.tif 000011
【図１０】
2008304588.tif 000012